(57)【要約】      （修正有）【課題】家庭で洗濯が可能であり、且つ、へたりにくい枕を提供する。【解決手段】枕１０は、一対の反発弾性部１、２と、頭部支持部４と、頸椎支持部３とを有している。一対の反発弾性部１、２は、幅方向の両側に位置する。頭部支持部４は、一対の反発弾性部１、２の間に位置する。頸椎支持部３は、幅方向に対して垂直な奥行方向において頭部支持部４に隣接し、かつ一対の反発弾性部１、２の間に位置する。一対の反発弾性部１、２の各々の高さは、頸椎支持部３の高さよりも大きい。頭部支持部４の高さは、頸椎支持部３の高さよりも小さい。一対の反発弾性部１、２の各々の内部には、ポリエステル繊維が充填されている。ポリエステル繊維には長手方向に沿って延在する少なくとも１以上の孔が設けられており、かつポリエステル繊維は螺旋状の部分を含んでいる。【選択図】図１
0003215283.tif 000002
【実用新案登録請求の範囲】
【請求項１】
幅方向の両側に位置する一対の反発弾性部と、
前記一対の反発弾性部の間に位置する頭部支持部と、
前記幅方向に対して垂直な奥行方向において前記頭部支持部に隣接し、かつ前記一対の反発弾性部の間に位置する頸椎支持部とを備え、
前記一対の反発弾性部の各々の高さは、前記頸椎支持部の高さよりも大きく、
前記頭部支持部の高さは、前記頸椎支持部の高さよりも小さく、
前記一対の反発弾性部の各々の内部には、ポリエステル繊維が充填されており、
前記ポリエステル繊維には長手方向に沿って延在する少なくとも１以上の孔が設けられており、かつ前記ポリエステル繊維は螺旋状の部分を含む、枕。
【請求項２】
前記頭部支持部および前記頸椎支持部の各々の内部には、樹脂製の中空パイプが充填されている、請求項１に記載の枕。
【請求項３】
前記中空パイプは、メタロセン樹脂製である、請求項２に記載の枕。
【請求項４】
前記中空パイプの内径を外径で除した値は、０．８５以上０．９５以下である、請求項２または請求項３に記載の枕。
【請求項５】
前記一対の反発弾性部の各々の内部に設けられた中袋をさらに備え、
前記ポリエステル繊維は、前記中袋の内部に充填されている、請求項１〜請求項４のいずれか１項に記載の枕。
【請求項６】
前記中袋は、吊下げ部を有している、請求項５に記載の枕。
【考案の詳細な説明】
【技術分野】
【０００１】
本考案は、枕に関し、特定的には、反発弾性部の内部にポリエステル繊維が充填された枕に関する。
【背景技術】
【０００２】
実用新案登録第３１７３９００号公報（特許文献１）には、頭部支持部と、頸椎支持部と、一対の高反発弾性部とを有する枕が記載されている。当該枕の高反発弾性部および頭部支持部の各々には、ウレタンフォームを粉砕して形成されたウレタンチップが充填されている。また頸椎支持部においては、ポリプロピレン製またはポリエチレン製のビーズが充填されている。
【先行技術文献】
【特許文献】
【０００３】
【特許文献１】実用新案登録第３１７３９００号公報
【考案の概要】
【考案が解決しようとする課題】
【０００４】
しかしながら、ウレタンフォームは、保水性が高く乾燥しづらい。そのため、ウレタンフォームが充填された枕を、家庭で洗濯することは困難であった。また上記枕を繰り返し使用すると、ウレタンフォームが容易にへたってしまうという課題があった。
【０００５】
本考案の一態様は、上記課題に鑑みてなされたものであり、その目的は、家庭で洗濯が可能であり、且つ、へたりにくい枕を提供することである。
【課題を解決するための手段】
【０００６】
本考案の一実施の形態に係る枕は、一対の反発弾性部と、頭部支持部と、頸椎支持部とを備えている。一対の反発弾性部は、幅方向の両側に位置する。頭部支持部は、一対の反発弾性部の間に位置する。頸椎支持部は、幅方向に対して垂直な奥行方向において頭部支持部に隣接し、かつ一対の反発弾性部の間に位置する。一対の反発弾性部の各々の高さは、頸椎支持部の高さよりも大きい。頭部支持部の高さは、頸椎支持部の高さよりも小さい。一対の反発弾性部の各々の内部には、ポリエステル繊維が充填されている。ポリエステル繊維には長手方向に沿って延在する少なくとも１以上の孔が設けられており、かつポリエステル繊維は螺旋状の部分を含んでいる。
【考案の効果】
【０００７】
本考案の一態様に係る枕によれば、家庭で洗濯が可能であり、且つ、へたりにくい枕を提供することができる。
【図面の簡単な説明】
【０００８】
【図１】本考案の一実施の形態に係る枕の構成を示す斜視模式図である。
【図２】本考案の一実施の形態に係る枕の構成を示す上面模式図である。
【図３】図２のＩＩＩ−ＩＩＩ線に沿った断面模式図である。
【図４】図２のＩＶ−ＩＶ線に沿った断面模式図である。
【図５】図２のＶ−Ｖ線に沿った断面模式図である。
【図６】本考案の一実施の形態に係る枕の中袋の構成を示す斜視模式図である。
【図７】本考案の一実施の形態に係る枕のポリエステル繊維の構成を示す斜視模式図である。
【図８】本考案の一実施の形態に係る枕のポリエステル繊維の構成を示す断面模式図である。
【図９】本考案の一実施の形態に係る枕のポリエステル繊維の変形例の構成を示す断面模式図である。
【図１０】本考案の一実施の形態に係る枕の中空パイプの構成を示す斜視模式図である。
【図１１】本考案の一実施の形態に係る枕の中空パイプの構成を示す正面模式図である。
【図１２】頸椎支持部用ファスナを開いて第１メッシュ部を取り出した状態を示す斜視模式図である。
【図１３】頭部支持部用ファスナを開いて第２メッシュ部を取り出した状態を示す斜視模式図である。
【考案を実施するための形態】
【０００９】
以下、図面に基づいて本考案の実施の形態を説明する。なお、以下の図面において同一または相当する部分には同一の参照番号を付し、その説明は繰返さない。なお、本明細書においては、枕を床に置いて枕を上方から見た場合、図２における枕の左右方向を幅方向と称し、図２における枕の上下方向を奥行方向と称し、左右方向および奥行方向の各々に対して垂直な方向を高さ方向と称する。
【００１０】
まず、本考案の一実施の形態に係る枕の構成について説明する。
図１および図２に示されるように、本考案の一実施の形態に係る枕１０は、頭部支持部４と、頸椎支持部３と、一対の反発弾性部１、２とを有している。頭部支持部４は、睡眠中に使用者の頭部を支持するための部分である。頸椎支持部３は、睡眠中に使用者の頸椎を支持するための部分である。一対の反発弾性部１、２は、使用者が寝返ったときに、使用者の頭部が触れる部分である。一対の反発弾性部１、２は、枕１０の幅方向における両側に位置する。頭部支持部４は、一対の反発弾性部１、２の間に位置する。同様に、頸椎支持部３は、一対の反発弾性部１、２の間に位置する。頸椎支持部３は、幅方向に対して垂直な奥行方向において頭部支持部４に隣接する。一対の反発弾性部１、２は、一方側反発弾性部１と、他方側反発弾性部２とにより構成されている。幅方向において、頭部支持部４の一端は一方側反発弾性部１に連なり、かつ頭部支持部４の他端は他方側反発弾性部２に連なる。同様に、幅方向において、頸椎支持部３の一端は一方側反発弾性部１に連なり、かつ頸椎支持部３の他端は他方側反発弾性部２に連なる。
【００１１】
具体的には、本考案の一実施の形態に係る枕１０は、表布１２と、第１奥行方向仕切り布部１４と、第２奥行方向仕切り布部１６と、幅方向仕切り布部１８と有している。第１奥行方向仕切り布部１４および第２奥行方向仕切り布部１６の各々は、奥行方向に延在して設けられ、表布１２の内側に縫着されている。幅方向仕切り布部１８は、幅方向に延在して設けられ、表布１２の内側に縫着されている。幅方向仕切り布部１８の一端は第１奥行方向仕切り布部１４に縫着され、かつ幅方向仕切り布部１８の他端は第２奥行方向仕切り布部１６に縫着されている。これにより、枕１０は、頭部支持部４と、頸椎支持部３と、一対の反発弾性部１、２とに区画されている。
【００１２】
図１および図２に示されるように、本考案の一実施の形態に係る枕１０は、頭部支持部用ファスナ３２と、頸椎支持部用ファスナ３６と、一方側反発弾性部用ファスナ４０と、他方側反発弾性部用ファスナ４２と、一対の第１吊下げ部５とをさらに有している。頭部支持部用ファスナ３２は、奥行方向の端部において、頭部支持部４に取り付けられている。頸椎支持部用ファスナ３６は、奥行方向の端部において、頸椎支持部３に取り付けられている。頭部支持部用ファスナ３２は、頸椎支持部用ファスナ３６の反対側に設けられている。
【００１３】
一方側反発弾性部用ファスナ４０は、幅方向の端部において、一方側反発弾性部１に取り付けられている。他方側反発弾性部用ファスナ４２は、幅方向の端部において、他方側反発弾性部２に取り付けられている。一方側反発弾性部用ファスナ４０は、他方側反発弾性部用ファスナ４２の反対側に設けられている。一対の第１吊下げ部５は、頭部支持部４に取り付けられている。一対の第１吊下げ部５は、頭部支持部用ファスナ３２の両側に配置されている。一対の第１吊下げ部５の各々は、たとえば環状に形成されている。一対の第１吊下げ部５の各々をたとえばフック状のものに引っかけることで、洗濯した枕１０を容易に干すことができる。
【００１４】
図２に示されるように、枕１０全体の奥行方向の長さＹ３は、たとえば３１０ｍｍとされている。枕１０全体の幅方向の長さＷ３は、たとえば５６０ｍｍとされている。頭部支持部４の奥行き方向の長さＹ１は、たとえば１９０ｍｍとされている。頭部支持部４の幅方向の長さＷ４は、たとえば２４０ｍｍとされている。頸椎支持部３の奥行き方向の長さＹ２は、たとえば１２０ｍｍとされている。頸椎支持部３の幅方向の長さＷ１は、たとえば１５５ｍｍとされている。一方側反発弾性部１および他方側反発弾性部２の各々の奥行方向の長さＹ３は、たとえば３１０ｍｍとされている。
【００１５】
図３は、図２のＩＩＩ−ＩＩＩ線に沿った断面模式図である。図３に示されるように、一対の反発弾性部１、２の各々の高さＨ３は、頭部支持部４の高さＨ２よりも高くされている。一方側反発弾性部１および他方側反発弾性部２の各々の高さＨ３は、たとえば１２０ｍｍとされている。頭部支持部４の高さＨ２は、たとえば５０ｍｍとされる。これにより、使用者の寝返り時には、頭部を一方側反発弾性部１または他方側反発弾性部２によって支持することが可能となる。そのため、横向き時に下になる肩が痛くなりにくいため、快適な睡眠を担保することができる。また一対の反発弾性部１、２の各々の内部には、ポリエステル繊維７が充填されている。具体的には、一方側反発弾性部１および他方側反発弾性部２の各々の内部には、中袋６０が配置される（図６も併せて参照）。中袋６０の内部に、ポリエステル繊維７の集合体が充填されている。一方側反発弾性部１および他方側反発弾性部２の各々に充填されているポリエステル繊維７の質量は、たとえば１７５ｇである。ポリエステル繊維７の構成の詳細については後述する。
【００１６】
図４は、図２のＩＶ−ＩＶ線に沿った断面模式図である。図４に示されるように、一対の反発弾性部１、２の各々の高さＨ３は、頸椎支持部３の高さＨ１よりも大きくされている。頸部支持部の高さＨ１は、たとえば８５ｍｍとされる。これにより、使用者の寝返り時には、頭部を一方側反発弾性部１または他方側反発弾性部２によって支持することが可能となる。そのため、横向き時に下になる肩が痛くなりにくいため、快適な睡眠を担保することができる。
【００１７】
図５は、図２のＶ−Ｖ線に沿った断面模式図である。図５に示されるように、頭部支持部４の高さＨ２は、頸椎支持部３の高さＨ１よりも小さくされている。これにより、仰向き睡眠時の使用者の気道を良好に確保することができるため、快適な睡眠を担保することができる。図５に示されるように、頭部支持部４および頸椎支持部３の各々の内部には、樹脂製の中空パイプ８が充填されている。頭部支持部４に充填されている中空パイプ８の質量は、たとえば２３０ｇである。頸椎支持部３に充填されている中空パイプ８の質量は、たとえば１６０ｇである。中空パイプ８を構成する樹脂の材料は、特に限定されない。中空パイプ８は、たとえばメタロセン樹脂製であり、より特定的には、メタロセンプラストマー製である。メタロセンプラストマーは、メタロセン触媒を用いて形成される、エチレンとαオレフィンとの共重合体である。
【００１８】
メタロセンプラストマーは、プラスチック特性と、エラスチック特性との双方の特性を有する材料である。そのため、使用者の頸椎および頭部の形状に合わせて頸椎支持部３および頭部支持部４の形状を変形させることができる。そのため、寝返り時に隙間ができにくく、快適な睡眠を確保することができる。さらに頸椎支持部３および頭部支持部４の各々から、中空パイプ８を容易に取り出すことができる。そのため、頸椎支持部３および頭部支持部４の高さを好みの高さに調整することができる。
【００１９】
図６に示されるように、中袋６０は、布部６１と、第２吊下げ部６２と、中袋用ファスナ６３と有している。図３および図４に示されるように、中袋６０は、一対の反発弾性部１、２の各々の内部に設けられている。ポリエステル繊維７は、中袋６０の内部に充填されている。具体的には、中袋６０の内部には、多数のポリエステル繊維７の集合体が充填されており、中袋６０の布部６１を内部から押し広げている。そのため、中袋６０の布部６１は、一対の反発支持部の各々を構成する表布１２の内側に当接している。中袋用ファスナ６３を開いて、中袋６０の内部にポリエステル繊維７の集合体を充填することができる。その後、中袋用ファスナ６３を閉じることで、ポリエステル繊維７が中袋６０の内部から出てくることを抑制することができる。ポリエステル繊維７は、ばらばらになりやすいため、直接一対の反発弾性部１、２に充填すると、取り出しが手間になる。ポリエステル繊維７を中袋６０に充填することで、枕１０からポリエステル繊維７を容易に取り出して洗濯することができる。また中袋６０には、第２吊下げ部６２が取り付けられている。そのため、第２吊下げ部６２をたとえばフック状のものに引っかけることで、洗濯した中袋６０を容易に干すことができる。
【００２０】
次に、ポリエステル繊維の構成について説明する。
図７に示されるように、ポリエステル繊維７は螺旋状に捲縮している。別の観点からいえば、ポリエステル繊維７は螺旋状の部分を含んでいる。具体的には、ポリエステル繊維７が仮想直線Ｘの周りを螺旋状に延在するように、ポリエステル繊維７には３次元的に捲縮がかかっていてもよい。ポリエステル繊維７を直線状に引き伸ばしたときのポリエステル繊維７の長さは、たとえば１０ｍｍ以上９０ｍｍ以下程度である。ポリエステル繊維７の１万メートルあたりの質量は、たとえば６デシテックス以上１０デシテックス以下である。ポリエステル繊維７の表面には、抗菌剤を含むシリコンがコーティングされていてもよい。これにより、汗臭さの原因となる細菌がポリエステル繊維７に増殖することを抑制することができる。
【００２１】
図８は、ポリエステル繊維７を直線状に引き伸ばした場合に、長手方向に対して垂直な平面でポリエステル繊維７を切断した断面の模式図である。図８に示されるように、ポリエステル繊維７には長手方向に沿って延在する少なくとも１以上の孔７４が設けられている。ポリエステル繊維７には、たとえば長手方向に沿って延在する３つの孔７４が設けられていてもよい。断面視において、３つの孔７４の各々の形状は、たとえば扇形である。具体的には、３つの孔７４の各々は、たとえば第１直線部７１と、第２直線部７２と、円弧部７３とを有している。第１直線部７１の一端は、第２直線部７２の一端と連なる。第１直線部７１の他端は、円弧部７３の一端と連なる。第２直線部７２の他端は、円弧部７３の他端と連なる。
【００２２】
図８に示されるように、断面視において、３つの孔７４の各々は、互いに約１２０°ずれて配置されている。言い換えれば、ポリエステル繊維７の長手方向に沿った方向から見て、３つの孔７４は、概ね０°、１２０°および２４０°の位置に設けられている。３つの孔７４の各々は、長手方向において、ポリエステル繊維７の一端から他端まで延在している。３つの孔７４の各々は、ポリエステル繊維７の両端において開口している。断面視において３つの孔７４を有するポリエステル繊維７としては、たとえば帝人フロンティア株式会社製の「エアロカプセル（登録商標）γＥＣＯ」、「フィルケア（登録商標）ＥＣＯ」または「フィルケア（登録商標）ＭＥＣＯ」などを使用することができる。
【００２３】
図９は、本考案の一実施の形態に係る枕１０のポリエステル繊維７の変形例の構成を示す断面模式図である。図９に示されるように、ポリエステル繊維７には、たとえば長手方向に沿って延在する１つの孔７４が設けられていてもよい。断面視において、孔７４の形状は、たとえば円形である。孔７４は、長手方向において、ポリエステル繊維７の一端から他端まで延在している。断面視において１つの孔７４を有するポリエステル繊維７としては、たとえば帝人株式会社製の「マイティトップ（登録商標）IIＥＣＯ」、「ポリティ（登録商標）ＥＣＯ」、「ウォシュロン（登録商標）ＥＣＯ」または「クリスター（登録商標）ＥＣＯ」などを使用することができる。
【００２４】
上述の通り、ポリエステル繊維７には長手方向に沿って延在する少なくとも１以上の孔７４が設けられている。当該ポリエステル繊維７は、孔７４が設けられていないポリエステル繊維７と比較して、押さえつけられても、へたりにくく、回復性に優れている。そのため、繰り返し使用した場合であっても、ポリエステル繊維７がへたって、反発弾性部の高さが低くなることを抑制することができる。結果として、長期間、同様の使用感を維持することができる。また当該ポリエステル繊維７は螺旋状の部分を含んでいる。これにより、反発弾性部のボリューム感を出すことができ、心地よい反発弾性力を得ることができる。さらにポリエステル繊維７は、ウレタンフォームと比較して乾燥しやすい。そのため、家庭でも容易に洗濯することができる。結果として、枕１０を清潔に使用することができる。
【００２５】
次に、中空パイプの構成について説明する。
図１０および図１１に示されるように、中空パイプ８は、たとえば円筒形状を有している。中空パイプ８は、外周面８１と、内周面８２とを有している。図１１に示されるように、中空パイプ８の外径Ｄ１は、たとえば５．０ｍｍである。中空パイプ８の内径は、たとえば４．４ｍｍである。中空パイプ８の軸方向の長さＴは、たとえば６．５ｍｍである。中空円筒パイプの外径Ｄ１は、たとえば軸方向の長さＴよりも小さい。好ましくは、中空円筒パイプの外径Ｄ１は、４ｍｍ以上８ｍｍ以下である。好ましくは、中空円筒パイプの軸方向の長さＴは、４．５ｍｍ以上１０ｍｍ以下である。好ましくは、中空パイプ８の内径Ｄ２を外径Ｄ１で除した値は、たとえば０．８５以上０．９５以下である。
【００２６】
図１２に示されるように、頸椎支持部３の内部には、第１メッシュ部５２が設けられていてもよい。第１メッシュ部５２は、頸椎支持部３を構成する表布１２の内側に取り付けられている。第１メッシュ部５２は、たとえば筒状の形状を有している。筒状の第１メッシュ部５２の内側を通して、頸椎支持部３の内部に充填されている中空パイプ８を取り出すことができる。第１メッシュ部５２には、複数の貫通孔が設けられている。複数の貫通孔の最大径は、中空パイプ８の長さＴおよび外径Ｄ１の各々よりも小さいことが好ましい。この場合、中空パイプ８が貫通孔を通過することができない。そのため、頸椎支持部用ファスナ３６を開いたときに、頸椎支持部３から中空パイプ８がこぼれ出すことを抑制することができる。
【００２７】
図１２に示されるように、枕１０には、パッド挿入部５１が設けられていてもよい。パッド挿入部５１は、頸椎支持部３の上部に位置している。パッド挿入部５１に、パッド９を挿入することで、使用者の頸椎を支持する箇所の高さを高くすることができる。反対に、パッド挿入部５１からパッド９を取り外すことで、使用者の頸椎を支持する箇所の高さを低くすることができる。パッド挿入部５１には、パッド９を複数枚重ねて挿入することもできる。これにより、使用者の好みに応じて比較的自由に高さ調整をすることができる。
【００２８】
図１３に示されるように、頭部支持部４の内部には、第２メッシュ部５３が設けられていてもよい。第２メッシュ部５３は、頭部支持部４を構成する表布１２の内側に取り付けられている。第２メッシュ部５３は、たとえば筒状の形状を有している。筒状の第２メッシュ部５３の内側を通して、頭部支持部４の内部に充填されている中空パイプ８を取り出すことができる。第２メッシュ部５３には、複数の貫通孔が設けられている。複数の貫通孔の最大径は、中空パイプ８の長さＴおよび外径Ｄ１の各々よりも小さいことが好ましい。この場合、中空パイプ８が貫通孔を通過することができない。そのため、頭部支持部用ファスナ３２を開いたときに、頭部支持部４から中空パイプ８がこぼれ出すことを抑制することができる。
【００２９】
次に、本考案の一実施の形態に係る枕１０の作用効果について説明する。
本考案の一実施の形態に係る枕１０によれば、一対の反発弾性部１、２の各々の内部には、ポリエステル繊維７が充填されている。ポリエステル繊維７には長手方向に沿って延在する少なくとも１以上の孔７４が設けられている。当該ポリエステル繊維７は、孔７４が設けられていないポリエステル繊維７と比較して、押さえつけられても、へたりにくく、回復性に優れている。そのため、繰り返し使用した場合であっても、ポリエステル繊維７がへたって、反発弾性部の高さが低くなることを抑制することができる。結果として、長期間、同様の使用感を維持することができる。当該ポリエステル繊維７は螺旋状の部分を含んでいる。これにより、反発弾性部のボリューム感を出すことができ、心地よい反発弾性力を得ることができる。さらにポリエステル繊維７は、ウレタンフォームと比較して乾燥しやすい。そのため、家庭でも容易に洗濯することができる。結果として、枕１０を清潔に使用することができる。
【００３０】
また本考案の一実施の形態に係る枕１０においては、頭部支持部４および頸椎支持部３の各々の内部には、樹脂製の中空パイプ８が充填されている。そのため、使用者の頸椎および頭部の形状に合わせて頸椎支持部３および頭部支持部４の形状を変形させることができる。そのため、寝返り時に隙間ができにくく、快適な睡眠を確保することができる。さらに頸椎支持部３および頭部支持部４の各々から、中空パイプ８を容易に取り出すことができる。そのため、頸椎支持部３および頭部支持部４の高さを好みの高さに調整することができる。
【００３１】
さらに本考案の一実施の形態に係る枕１０は、一対の反発弾性部１、２の各々の内部に設けられた中袋６０をさらに有している。ポリエステル繊維７は、中袋６０の内部に充填されている。そのため、一対の反発弾性部１、２の各々から中袋６０を取り出して、中袋６０だけを洗濯することができる。
【００３２】
さらに本考案の一実施の形態に係る枕１０においては、中袋６０は、第２吊下げ部６２を有している。そのため、第２吊下げ部６２を物干し竿に通すことにより、洗濯した中袋６０を容易に干すことができる。
【００３３】
今回開示された実施の形態はすべての点で例示であって、制限的なものではないと考えられるべきである。本考案の範囲は上記した説明ではなく実用新案登録請求の範囲によって示され、実用新案登録請求の範囲と均等の意味、および範囲内でのすべての変更が含まれることが意図される。
【符号の説明】
【００３４】
１  一方側反発弾性部、２  他方側反発弾性部、１、２  一対の反発弾性部、３  頸椎支持部、４  頭部支持部、５  第１吊下げ部、７  ポリエステル繊維、８  中空パイプ、９  パッド、１０  枕、１２  表布、１４  第１奥行方向仕切り布部、１６  第２奥行方向仕切り布部、１８  幅方向仕切り布部、３２  頭部支持部用ファスナ、３６  頸椎支持部用ファスナ、４０  側反発弾性部用ファスナ、４２  他方側反発弾性部用ファスナ、５１  パッド挿入部、５２  第１メッシュ部、５３  第２メッシュ部、６０  中袋、６１  布部、６２  第２吊下げ部、６３  中袋用ファスナ、７１  第１直線部、７２  第２直線部、７３  円弧部、７４  孔、８１  外周面、８２  内周面。
【図１】
0003215283.tif 000003
【図２】
0003215283.tif 000004
【図３】
0003215283.tif 000005
【図４】
0003215283.tif 000006
【図５】
0003215283.tif 000007
【図６】
0003215283.tif 000008
【図７】
0003215283.tif 000009
【図８】
0003215283.tif 000010
【図９】
0003215283.tif 000011
【図１０】
0003215283.tif 000012
【図１１】
0003215283.tif 000013
【図１２】
0003215283.tif 000014
【図１３】
0003215283.tif 000015